(57)【要約】【課題】出力階層の切り替えを低減し、かつ、音声信号の雑音も低減することが可能な車載用地上デジタル放送受信装置を提供する。【解決手段】伝送路復調部３は、地上デジタル放送電波に含まれる信号に復調、エラー訂正処理を施し、多重分離部４へ出力すると共に、信号品質値９を検出して、制御部１０へ出力する。映像切替部７は、制御部１０の制御下で、映像信号１３または映像信号１４の何れか一方の信号を選択し、映像表示部１１に出力する。音声切替部８は、制御部１０の制御下で、音声信号１５又は音声信号１６の何れか一方の信号を選択し、音声出力部１２に出力する。制御部１０は、伝送路復調部３からの信号品質値９に基づき、映像表示部１１や音声出力部１２へ出力するのに最適な階層を判定し、判定結果に応じた映像切替信号１７を映像切替部７へ、音声切替信号１８を音声切替部８へそれぞれ出力する。【選択図】図１
2008042599.tif 000002
【特許請求の範囲】
【請求項１】
階層伝送される地上デジタル放送信号を、階層を自動的に切り替えて受信する車載用地上デジタル放送受信装置であって、
選局された前記地上デジタル放送信号の品質を、前記地上デジタル放送信号に対して所定の信号処理を施すことにより検出する信号品質検出手段と、
前記信号品質検出手段から出力されたトランスポートストリーム信号を、弱階層のトランスポートストリーム信号と、強階層のトランスポートストリーム信号とに分離する分離手段と、
前記分離手段から出力される弱階層のトランスポートストリーム信号を、映像信号と音声信号とに復号化する弱階層復号化手段と、
前記分離手段から出力される強階層のトランスポートストリーム信号を、映像信号と音声信号とに復号化する強階層復号化手段と、
前記弱階層復号化手段から出力される映像信号、前記強階層復号化手段から出力される映像信号をそれぞれ入力して、何れか一方を選択的に出力する映像信号選択出力手段と、
前記弱階層復号化手段から出力される音声信号、前記強階層復号化手段から出力される音声信号をそれぞれ入力して、何れか一方を選択的に出力する音声信号選択出力手段と、
前記信号品質検出手段により検出される信号品質に基づき、前記映像信号選択出力手段の選択動作の動作時期と、前記音声信号選択出力手段の選択動作の動作時期とを個別に制御する制御手段と
を備える車載用地上デジタル放送受信装置。
【請求項２】
請求項１記載の車載用地上デジタル放送受信装置において、
前記制御手段が、前記信号品質検出手段により検出される信号品質に基づき、前記映像信号選択出力手段の選択動作の動作時期と、前記音声信号選択出力手段の選択動作の動作時期とが異なるように、前記映像信号選択出力手段、前記音声信号選択出力手段を制御するようにした車載用地上デジタル放送受信装置。
【請求項３】
請求項１記載の車載用地上デジタル放送受信装置において、
前記制御手段が、前記信号品質検出手段からの信号品質検出値に基づき、前記地上デジタル放送信号の受信環境に適した映像信号もしくは音声信号が得られるように、前記映像信号選択出力手段、もしくは前記音声信号選択出力手段を制御するようにした車載用地上デジタル放送受信装置。
【請求項４】
請求項２又は３記載の車載用地上デジタル放送受信装置において、
前記制御手段による前記映像信号選択出力手段、もしくは前記音声信号選択出力手段の制御は、前記信号品質検出手段からの信号品質検出値の、所定の信号品質閾値以上もしくは以下になった回数が、連続して所定の回数を上回った時に行う車載用地上デジタル放送受信装置。
【請求項５】
請求項４記載の車載用地上デジタル放送受信装置において、
前記所定の信号品質閾値が少なくとも２つ設定されている車載用地上デジタル放送受信装置。
【請求項６】
請求項４記載の車載用地上デジタル放送受信装置において、
前記所定の信号品質閾値が少なくとも２つ設定されており、
前記制御手段による前記映像信号選択出力手段、もしくは前記音声信号選択出力手段の制御は、前記信号品質検出手段からの信号品質検出値の、所定の信号品質閾値以上もしくは以下になった回数が、連続して所定の回数を上回った時に行う車載用地上デジタル放送受信装置。
【請求項７】
請求項６記載の車載用地上デジタル放送受信装置において、
前記制御手段による前記音声信号選択出力手段の制御は、前記地上デジタル放送信号の受信環境に適した音声信号が得られるように、前記映像信号選択出力手段の制御より優先的に行う車載用地上デジタル放送受信装置。
【請求項８】
請求項３記載の車載用地上デジタル放送受信装置において、
前記信号品質検出値は、搬送波電力対雑音電力比である車載用地上デジタル放送受信装置。
【請求項９】
請求項３記載の車載用地上デジタル放送受信装置において、
前記信号品質検出値は、信号電力対雑音電力比である車載用地上デジタル放送受信装置。
【請求項１０】
請求項３記載の車載用地上デジタル放送受信装置において、
前記信号品質検出値は、ビット誤り率である車載用地上デジタル放送受信装置。
【請求項１１】
請求項３記載の車載用地上デジタル放送受信装置において、
前記信号品質検出値は、変調誤差比である車載用地上デジタル放送受信装置。
【請求項１２】
請求項１記載の車載用地上デジタル放送受信装置において、
前記所定の信号処理は、前記地上デジタル放送信号に対して復調処理及び誤り訂正処理を施すことを含む車載用地上デジタル放送受信装置。
【発明の詳細な説明】
【技術分野】
【０００１】
本発明は、地上デジタル放送を受信するための装置に関する。
【背景技術】
【０００２】
従来、車載用の装置において、受信品質が良好な時には固定端末向けの高画質のコンテンツ信号を、受信品質が不十分な時には移動体端末向けの低画質のコンテンツ信号をそれぞれ出力することにより、高画質な映像と広い受信エリアを確保することを目的とした装置が提案されている（例えば、特許文献１参照）。
【０００３】
上記提案に係る装置は、固定端末向けの放送信号を含む階層（以下、「弱階層」という）と、移動体端末向けの放送信号を含む階層（以下、「強階層」という）とを多重化し、同一チャネルに同時に放送することができる階層伝送と呼ばれる伝送方式（例えば、非特許文献１参照）を利用した、地上デジタル放送を受信できるようになっている。
【０００４】
【特許文献１】特開２００５−２２３５４９号公報
【非特許文献１】地上デジタル放送運用規定（ＡＲＩＢ  ＴＲ−Ｂ１４）
【発明の開示】
【発明が解決しようとする課題】
【０００５】
ところで、上記装置で上記地上デジタル放送を受信する場合、自動車等の移動に伴って上記地上デジタル放送を受信する位置が絶えず変わるので、上記地上デジタル放送の受信状態は変動する。そのため、上記装置では、受信した上記地上デジタル放送の放送信号のＳ／Ｎ比に基づいて受信状態が良好か否かを判定する処理と、上記判定結果に応じて出力する階層を上記強階層と上記弱階層とから選択する処理とが行われると共に、該選択した階層のコンテンツ信号の出力が切替制御されるように構成されている。
【０００６】
しかし、上述したような階層切替制御では、受信した上記地上デジタル放送信号のＳ／Ｎ比が激しく変動する場合、上記強階層に含まれているコンテンツ信号と、上記弱階層に含まれているコンテンツ信号とを、頻繁に切り替えて出力している。そのため、受信した上記地上デジタル放送信号のＳ／Ｎ比が低いにも関わらず、弱階層の固定端末向けのコンテンツ信号を出力するようにしてしまうと、映像信号のみならず音声信号の雑音も発生し、利用者に不快感を与えてしまう。
【０００７】
従って、本発明の目的は、出力する階層の切り替えを低減し、かつ、上記音声信号の雑音も低減することが可能な車載用地上デジタル放送受信装置を提供することにある。
【課題を解決するための手段】
【０００８】
本発明に従う車載用地上デジタル放送受信装置は、制御手段が、選局された上記地上デジタル放送信号の品質を、上記地上デジタル放送信号に対して所定の信号処理を施すことにより検出する信号品質検出手段と、上記信号品質検出手段から出力されたトランスポートストリーム信号を、弱階層のトランスポートストリーム信号と、強階層のトランスポートストリーム信号とに分離する分離手段と、上記分離手段から出力される弱階層のトランスポートストリーム信号を、映像信号と音声信号とに復号化する弱階層復号化手段と、上記分離手段から出力される強階層のトランスポートストリーム信号を、映像信号と音声信号とに復号化する強階層復号化手段と、上記弱階層復号化手段から出力される映像信号、上記強階層復号化手段から出力される映像信号をそれぞれ入力して、何れか一方を選択的に出力する映像信号選択出力手段と、上記弱階層復号化手段から出力される音声信号、上記強階層復号化手段から出力される音声信号をそれぞれ入力して、何れか一方を選択的に出力する音声信号選択出力手段と、上記信号品質検出手段により検出される信号品質に基づき、上記映像信号選択出力手段の選択動作の動作時期と、上記音声信号選択出力手段の選択動作の動作時期とを個別に制御するようにしている。
【０００９】
本発明に係る好適な実施形態では、上記制御手段が、上記信号品質検出手段により検出される信号品質に基づき、上記映像信号選択出力手段の選択動作の動作時期と、上記音声信号選択出力手段の選択動作の動作時期とが異なるように、上記映像信号選択出力手段、上記音声信号選択出力手段を制御するようにしている。
【００１０】
本発明に係る好適な実施形態では、上記制御手段が、上記信号品質検出手段からの信号品質検出値に基づき、上記地上デジタル放送信号の受信環境に適した映像信号もしくは音声信号が得られるように、上記映像信号選択出力手段、もしくは上記音声信号選択出力手段を制御するようにしている。
【００１１】
本発明に係る好適な実施形態では、上記制御手段による上記映像信号選択出力手段、もしくは上記音声信号選択出力手段の制御は、上記信号品質検出手段からの信号品質検出値の、所定の信号品質閾値以上もしくは以下になった回数が、連続して所定の回数を上回った時に行うようにしている。
【００１２】
本発明に係る好適な実施形態では、上記所定の信号品質閾値は、少なくとも２つ設定するようにしている。
【００１３】
上記とは別の実施形態では、上記所定の信号品質閾値が少なくとも２つ設定されており、上記制御手段による上記映像信号選択出力手段、もしくは上記音声信号選択出力手段の制御は、上記信号品質検出手段からの信号品質検出値の、所定の信号品質閾値以上もしくは以下になった回数が、連続して所定の回数を上回った時に行うようにしている。
【００１４】
また、上記とは別の実施形態では、上記制御手段による上記音声信号選択出力手段の制御は、上記地上デジタル放送信号の受信環境に適した音声信号が得られるように、上記映像信号選択出力手段の制御より優先的に行うようにしている。
【００１５】
本発明に係る好適な実施形態では、上記信号品質検出値は、搬送波電力対雑音電力比である。
【００１６】
本発明に係る好適な実施形態では、上記信号品質検出値は、信号電力対雑音電力比である。
【００１７】
本発明に係る好適な実施形態では、上記信号品質検出値は、ビット誤り率である。
【００１８】
本発明に係る好適な実施形態では、上記信号品質検出値は、変調誤差比である。
【００１９】
本発明に係る好適な実施形態では、上記所定の信号処理は、上記地上デジタル放送信号に対して復調処理及び誤り訂正処理を施すことを含む。
【発明の効果】
【００２０】
本発明によれば、出力階層の切り替えを低減し、かつ、上記音声信号の雑音も低減することが可能な車載用地上デジタル受信装置を提供することができる。
【発明を実施するための最良の形態】
【００２１】
以下、本発明の実施の形態を、図面により詳細に説明する。
【００２２】
図１は、本発明の一実施形態に係る車載用地上デジタル放送受信装置の構成を示す機能ブロック図である。
【００２３】
車載用地上デジタル放送受信装置１００は、図１に示すように、アンテナ部１と、選局部２と、伝送路復調部３と、多重分離部４と、弱階層デコード部５と、強階層デコード部６と、映像切替部７と、音声切替部８と、制御部１０と、映像表示部１１と、音声出力部１２と、を備える。
【００２４】
アンテナ部１は、複数の放送局からの符号化された、弱階層と強階層とで同一の内容が放送されるサイマル放送である地上デジタル放送を受信し、受信した地上デジタル放送電波を選局部２に出力する。
【００２５】
選局部２は、入力された上記地上デジタル放送電波から、所望のチャンネルの地上デジタル放送信号を選局し、伝送路復調部３に出力する。
【００２６】
伝送路復調部３は、選局部２から出力された上記地上デジタル放送電波に含まれている、多重化され、変調された信号（例えば、コンテンツ信号）を復調する。通常、上記地上デジタル放送の上記弱階層で伝送される放送信号は、伝送容量が高い信号（つまり、高画質な映像信号や高音質な音声信号等を伝送することができる信号）であり、その放送信号には、多値ＱＡＭ（Quadrature Amplitude Modulation）等の変調が施されている。一方、上記強階層で伝送される放送信号は、通常、伝送容量が低い信号（つまり、低画質な映像信号や低音質な音声信号等を伝送することができる信号）であり、その放送信号には、ＱＰＳＫ（Quaternary Phase Shift KeyingまたはQuadrature Phase Shift Keying）等の変調が施されている。上記多値ＱＡＭ変調は、伝送路における妨害に弱いという性質を持ち、上記ＱＰＳＫ変調は、伝送路における妨害に強いという性質をもつ。
【００２７】
また、伝送路復調部３は、上記地上デジタル放送電波を、車載用地上デジタル放送受信装置１００で受信するまでの間に発生した、上記コンテンツ信号のエラーを訂正する。そして、エラー訂正が施された後の上記コンテンツ信号は、トランスポートストリーム（Transport Stream、以下、「ＴＳ」という）信号として、伝送路復調部３から多重分離部４へ出力される。これと共に、伝送路復調部３は、上記コンテンツ信号の信号品質に関する値（以下、「信号品質値」という）９を検出し、制御部１０へ出力する。
【００２８】
信号品質値９は、受信した上記地上デジタル放送信号との同期状態や、搬送波電力対雑音電力比（ＣＮＲ（Carrier to Noise Ratio））や、復調処理における信号電力対雑音電力比（ＳＮＲ（Signal to Noise Ratio））や、誤り訂正処理でのビット誤り率や、ＡＧＣ制御電圧、変調誤差比（ＭＥＲ（Modulation Error Ratio））などから算出される値である。本明細書中では、信号品質値９が大きい場合には受信状態が良好であるとし、信号品質値９が小さい場合には受信状態が劣悪であるとする。
【００２９】
多重分離部４は、伝送路復調部３から出力されたＴＳ信号を、弱階層のＴＳ信号と強階層のＴＳ信号とに分離し、弱階層のＴＳ信号は弱階層デコード部５に、強階層のＴＳ信号は強階層デコード部６に、それぞれ出力する。
【００３０】
弱階層デコード部５は、多重分離部４から出力された弱階層のＴＳ信号を、映像信号１３と音声信号１５にデコードする。また、強階層デコード部６は、多重分離部４から出力された強階層のＴＳ信号を、映像信号１４と音声信号１６にデコードする。弱階層デコード部５でデコードされた映像信号１３と、強階層デコード部６でデコードされた映像信号１４は、映像切替部７に出力される。また、弱階層デコード部５でデコードされた音声信号１５と、強階層デコード部６でデコードされた音声信号１６は、音声切替部８に出力される。
【００３１】
映像切替部７は、後述する制御部１０からの制御信号に応じて、映像信号１３または映像信号１４のいずれか一方の信号を選択し、該選択した信号を映像表示部１１に出力する。また、音声切替部８は、制御部１０からの制御信号に応じて、音声信号１５または音声信号１６のいずれか一方の信号を選択し、該選択した信号を音声出力部１２に出力する。
【００３２】
制御部１０は、伝送路復調部３から出力された信号品質値９に基づき、映像表示部１１や音声出力部１２へ出力するのに最適な階層を判定する。制御部１０は、上記判定結果に応じた映像切替信号１７を映像切替部７へ、音声切替信号１８を音声切替部８へそれぞれ出力し、映像切替部７及び音声切替部８をそれぞれ制御する。
【００３３】
図２は、本発明の一実施形態に係る車載用地上デジタル放送受信装置の制御部の内部構成を示す機能ブロック図である。
【００３４】
制御部１０は、図２に示すように、比較部１０１と、閾値設定部１０２と、映像切替判定部１０３と、音声切替判定部１０４と、を備える。
【００３５】
閾値設定部１０２には、出力階層を切り替える基準となる、映像用閾値１０５と音声用閾値１０６が予め設定されており、設定されている映像用閾値１０５と音声用閾値１０６は、比較部１０１に出力される。
【００３６】
比較部１０１は、閾値設定部１０２より出力された映像用閾値１０５と、信号品質値９とを、予め設定された一定時間毎に比較し、その比較結果に応じた映像比較信号１０７を映像切替判定部１０３に出力する。映像切替判定部１０３は、比較部１０１から出力された映像比較信号１０７に基づき、映像切替部７を制御するための映像切替信号１７を映像切替部７へ出力する。上記と同様に、比較部１０１は、閾値設定部１０２より出力された音声用閾値１０６と、信号品質値９とを、予め設定された一定時間毎に比較し、その比較結果に応じた音声比較信号１０８を音声切替判定部１０４に出力する。音声切替判定部１０４は、比較部１０１から出力された音声比較信号１０８に基づき、音声切替部８を制御するための音声切替信号１８を出力する。
【００３７】
図３は、本発明の第一の実施形態に係る、制御部が出力階層の切替制御を行うタイミングを示す図である。
【００３８】
図３（Ａ）は、伝送路復調部３から出力された信号品質値９の時間の推移に伴う変化（横軸）と、閾値設定部１０２によって予め設定されている映像用閾値１０５及び音声用閾値１０６（縦軸）を示す図である。
【００３９】
図３（Ｂ）は、制御部１０が、映像切替部７を制御するための映像切替信号１７を出力するタイミングを示す図である。図３（Ｂ）は、制御部１０が、弱階層で伝送される映像信号を選択するように映像切替部７を制御する時には、Ｈｉｇｈレベル（以下、「Ｈレベル」という）の映像切替信号１７を出力し、一方、強階層で伝送される映像信号を選択するように映像切替部７を制御する時には、Ｌｏｗレベル（以下、「Ｌレベル」という）の映像切替信号１７を出力することを示している。
【００４０】
図３（Ｃ）は、制御部１０が、音声切替部８を制御するための音声切替信号１８を出力するタイミングを示す図である。図３（Ｃ）は、制御部１０が、弱階層で伝送される音声信号を選択するように音声切替部８を制御する時には、Ｈレベルの音声切替信号１８を出力し、一方、強階層で伝送される音声信号を選択するように音声切替部８を制御する時には、Ｌレベルの音声切替信号１８を出力することを示している。
【００４１】
まず、出力する映像信号を切り替える出力階層切替制御について説明する。
【００４２】
制御部１０は、映像切替判定部１０３より、例えば、Ｈレベルの映像切替信号１７が出力されている場合、つまり、映像切替部７において、弱階層の映像信号１３が選択されている場合は、連続した５個の信号品質値９のうち、映像用閾値１０５よりも小さい信号品質値９が３個以上となった時点で、Ｌレベルの映像切替信号１７を出力し、映像切替部７において、強階層の映像信号１４を選択し、映像表示部１１へ出力する。図３の例では、時刻「t9」から「t13」の時間帯で取得した５個の信号品質値のうち、３個が映像用閾値１０５より小さいので、時刻「t13」の時点でＬレベルの映像切替信号１７を出力し、映像切替部７において、強階層の映像信号１４を選択し、映像表示部１１へ出力する。
【００４３】
また、制御部１０は、映像切替判定部１０３より、例えば、Ｌレベルの映像切替信号１７が出力されている場合、つまり、映像切替部７において、強階層の映像信号１４が選択されている場合は、連続した５個の信号品質値９のうち、映像用閾値１０５よりも大きい信号品質値９が３個以上となった時点で、Ｈレベルの映像切替信号１７を出力し、映像切替部７において、弱階層の映像信号１３を選択し、映像表示部１１へ出力する。図３の例では、時刻「t17」から「t21」の時間帯で取得した５個の信号品質値のうち、３個が映像用閾値１０５より大きいので、時刻「t21」の時点でＨレベルの映像切替信号１７を出力し、映像切替部７において、弱階層の映像信号１３を選択し、映像表示部１１へ出力する。
【００４４】
次に、出力する音声信号を切り替える出力階層切替制御について説明する。
【００４５】
制御部１０は、音声切替判定部１０４より、例えば、Ｈレベルの音声切替信号１８が出力されている場合、つまり、音声切替部８において、弱階層の音声信号１５が選択されている場合は、連続した５個の信号品質値９のうち、音声用閾値１０６よりも小さい信号品質値９が３個以上となった時点で、Ｌレベルの音声切替信号１８を出力し、音声切替部８において、強階層の音声信号１６を選択し、音声出力部１２へ出力する。図３の例では、時刻「t6」から「t10」の時間帯で取得した５個の信号品質値のうち、３個が音声用閾値１０６より小さいので、時刻「t10」の時点でＬレベルの音声切替信号１８を出力し、音声切替部８において、強階層の音声信号１６を選択し、音声出力部１２へ出力する。
【００４６】
また、制御部１０は、音声切替判定部１０４より、例えば、Ｌレベルの音声切替信号１８が出力されている場合、つまり、音声切替部８において、強階層の音声信号１６が選択されている場合は、連続した５個の信号品質値９のうち、音声用閾値１０６よりも大きい信号品質値９が３個以上となった時点で、Ｈレベルの音声切替信号１８を出力し、音声切替部８において、弱階層の音声信号１５を選択し、音声出力部１２へ出力する。図３の例では、時刻「t18」から「t22」の時間帯で取得した５個の信号品質値のうち、３個が音声用閾値１０６より大きいので、時刻「t22」の時点でＨレベルの音声切替信号１８を出力し、音声切替部８において、弱階層の音声信号１５を選択し、音声出力部１２へ出力する。
【００４７】
以上のように、本実施形態では、映像信号１３及び１４と、音声信号１５及び１６との、それぞれについて、信号品質値９に対する映像用閾値１０５及び音声用閾値１０６を設定し、かつ、映像用閾値１０５よりも音声用閾値１０６を大きくとることにより、音声信号１５及び１６の出力階層切替を、映像信号と比べ、よりノイズ等の少ないタイミングで切り替えることができる。つまり、映像については、比較的高画質な映像を可能な限り出力するようにし、音声については、ノイズの少ない階層の音声を優先的に出力することができる。また、本実施形態では、連続した信号品質値９を複数個用いて出力階層の切り替えを判定するため、突出して劣化の大きい信号品質値９や、逆に、突出して良好な信号品質値９が取得されたとしても、これにより即座に出力階層の切り替えが発生することはなく、出力階層の頻繁な切り替えを低減することができる。
【００４８】
なお、出力階層の選択に使用した信号品質値９のサンプル数、および切替条件に関する数値は一例として示すものであって、本発明は、これらの数値によって限定されるものではない。
【００４９】
図４は、本発明の第二の実施形態に係る、制御部が出力階層の切替制御を行うタイミングを示す図である。本実施形態においても、全体の構成は図１および図２に示す構成と同様である。なお、図４において、図３で示したものと同一物については同一符号を付して、それらの詳細な説明については省略する。
【００５０】
図４（Ａ）は、伝送路復調部３から出力された信号品質値９の時間の推移に伴う変化（横軸）と、閾値設定部１０２によって予め設定されている第一の映像用閾値１０９及び第二の映像用閾値１１０（縦軸）を示す図である。
【００５１】
図４（Ｂ）と図４（Ｃ）は、図３と同様であるため、詳細な説明を省略する。
【００５２】
図４（Ｄ）は、伝送路復調部３から出力された信号品質値９の時間の推移に伴う変化（横軸）と、閾値設定部１０２によって予め設定されている第一の音声用閾値１１１及び第二の音声用閾値１１２（縦軸）を示す図である。
【００５３】
まず、図４（Ａ）及び（Ｂ）を参照して、出力する映像信号を切り替える出力階層切替制御について説明する。
【００５４】
制御部１０は、映像切替判定部１０３より、例えば、Ｈレベルの映像切替信号１７が出力されている場合、つまり、映像切替部７において、弱階層の映像信号１３が選択されている場合は、連続した５個の信号品質値９のうち、第二の映像用閾値１１０よりも小さい信号品質値９が３個以上となった時点で、Ｌレベルの映像切替信号１７を出力し、映像切替部７において、強階層の映像信号１４を選択し、映像表示部１１へ出力する。図４の例では、時刻「t9」から「t13」の時間帯で取得した５個の信号品質値のうち、３個が第二の映像用閾値１１０よりも小さいので、時刻「t13」の時点でＬレベルの映像切替信号１７を出力し、映像切替部７において、強階層の映像信号１４を選択し、映像表示部１１へ出力する。
【００５５】
また、制御部１０は、映像切替判定部１０３より、例えば、Ｌレベルの映像切替信号１７が出力されている場合、つまり、映像切替部７において、強階層の映像信号１４が選択されている場合は、連続した５個の信号品質値９のうち、第一の映像用閾値１０９よりも大きい信号品質値９が３個以上となった時点で、Ｈレベルの映像切替信号１７を出力し、映像切替部７において、弱階層の映像信号１３を選択し、映像表示部１１へ出力する。図４の例では、時刻「t18」から「t22」の時間帯で取得した５個の信号品質値のうち、３個が第一の映像用閾値１０９より大きいので、時刻「t22」の時点でＨレベルの映像切替信号１７を出力し、映像切替部７において、弱階層の映像信号１３を選択し、映像表示部１１へ出力する。
【００５６】
次に、図４（Ｃ）及び（Ｄ）を参照して、出力する音声信号を切り替える出力階層切替制御について説明する。
【００５７】
制御部１０は、音声切替判定部１０４より、例えば、Ｈレベルの音声切替信号１８が出力されている場合、つまり、音声切替部８において、弱階層の音声信号１５が選択されている場合は、連続した５個の信号品質値９のうち、第二の音声用閾値１１２よりも小さい信号品質値９が３個以上となった時点で、Ｌレベルの音声切替信号１８を出力し、音声切替部８において、強階層の音声信号１６を選択し、音声出力部１２へ出力する。図４の例では、時刻「t6」から「t10」の時間帯で取得した５個の信号品質値のうち、３個が第二の音声用閾値１１２よりも小さいので、時刻「t10」の時点でＬレベルの音声切替信号１８を出力し、音声切替部８において、強階層の音声信号１６を選択し、音声出力部１２へ出力する。
【００５８】
また、制御部１０は、音声切替判定部１０４より、例えば、Ｌレベルの音声切替信号１８が出力されている場合、つまり、音声切替部８において、強階層の音声信号１６が選択されている場合は、連続した５個の信号品質値９のうち、第一の音声用閾値１１１よりも大きい信号品質値９が３個以上となった時点で、Ｈレベルの音声切替信号１８を出力し、音声切替部８において、弱階層の音声信号１５を選択し、音声出力部１２へ出力する。図４の例では、時刻「t19」から「t23」の時間帯で取得した５個の信号品質値のうち、３個が第一の音声用閾値１１１よりも大きいので、時刻「t23」の時点でＨレベルの音声切替信号１８を出力し、音声切替部８において、弱階層の音声信号１５を選択し、音声出力部１２へ出力する。
【００５９】
以上のように、本実施形態では、第一の音声用閾値１０９と第二の音声用閾値１１０に差を持たせることにより、弱階層から強階層への階層切り替え発生頻度を高め、強階層から弱階層への階層切り替え発生頻度を抑制することが可能となる。したがって、映像については、比較的高画質な映像を可能な限り出力するようにし、音声については、ノイズの少ない階層の音声を優先的に出力することができる。また、本実施形態では、連続した信号品質値９を複数個用いて出力階層の切り替えを判定するため、突出して劣化の大きい信号品質値９や、逆に、突出して良好な信号品質値９が取得されたとしても、これにより即座に出力階層の切り替えが発生することはなく、出力階層の頻繁な切り替えを低減することができる。
【００６０】
なお、出力階層の選択に使用した信号品質値９のサンプル数、および切替条件に関する数値は一例として示すものであって、本発明は、これらの数値によって限定されるものではない。
【００６１】
図５は、本発明の第二の実施形態の変形例であって、制御部が出力階層の切替制御を行うタイミングを示す図である。本実施形態においても、全体の構成は図１および図２に示す構成と同様である。なお、図５において、図３及び図４で示したものと同一物については同一符号を付して、それらの詳細な説明については省略する。
【００６２】
図５（Ａ）と（Ｂ）及び（Ｃ）と（Ｄ）については、図４と同様であるため、詳細な説明を省略する。
【００６３】
図５（Ａ）及び（Ｂ）を参照して説明できる、出力する映像信号を切り替える出力階層切替制御については、図４で説明したものと同様の動作を行うので省略する。
【００６４】
次に、図５（Ｃ）及び（Ｄ）を参照して、出力する音声信号を切り替える出力階層切替制御について説明する。
【００６５】
制御部１０は、音声切替判定部１０４より、例えば、Ｈレベルの音声切替信号１８が出力されている場合、つまり、音声切替部８において、弱階層の音声信号１５が選択されている場合は、信号品質値９が第二の音声用閾値１１２よりも小さくなった時点で、Ｌレベルの音声切替信号１８を出力し、音声切替部８において、強階層の音声信号１６を選択し、音声出力部１２へ出力させる。図５の例では、時刻「t4」の時点でＬレベルの音声切替信号１８を出力し、音声切替部８において、強階層の音声信号１６を選択し、音声出力部１２へ出力する。
【００６６】
また、制御部１０は、音声切替判定部１０４より、例えば、Ｌレベルの音声切替信号１８が出力されている場合、つまり、音声切替部８において、強階層の音声信号１６が選択されている場合は、第一の音声用閾値１１１よりも大きい信号品質値９が５個連続した時点で、Ｈレベルの音声切替信号１８を出力し、音声切替部８において、弱階層の音声信号１５を選択し、映像表示部１１へ出力する。図５の例では、時刻「t22」から「t26」の時間帯で取得した信号品質値が５個連続で音声用閾値１０６より大きくなるので、時刻「t26」の時点でＨレベルの音声切替信号１８を出力し、音声切替部８において、弱階層の音声信号１５を選択し、映像表示部１１へ出力させる。
【００６７】
以上のように、本実施形態では、第一の音声用閾値１１１と第二の音声用閾値１１２に差を持たせることにより、弱階層から強階層への階層切り替え発生頻度を高め、強階層から弱階層への階層切り替え発生頻度を抑制することが可能となる。したがって、１つの閾値を用いた階層切り替えを行う場合に比べ、音声信号により雑音が少ないタイミングでの出力階層切替を行うことが可能となる。したがって、映像については、比較的高画質な映像を可能な限り出力するようにし、音声については、ノイズの少ない階層の音声を優先的に出力することができる。また、本実施形態では、連続した信号品質値９を複数個用いて出力階層の切り替えを判定するため、突出して劣化の大きい信号品質値９や、逆に、突出して良好な信号品質値９が取得されたとしても、これにより即座に出力階層の切り替えが発生することはなく、出力階層の頻繁な切り替えを低減することができる。
【００６８】
なお、出力階層の選択に使用した信号品質値９のサンプル数、および切替条件に関する数値は一例として示すものであって、本発明は、これらの数値によって限定されるものではない。
【図面の簡単な説明】
【００６９】
【図１】本発明の一実施形態に係る車載用地上デジタル放送受信装置の構成を示す機能ブロック図。
【図２】本発明の一実施形態に係る車載用地上デジタル放送受信装置の制御部の内部構成を示す機能ブロック図。
【図３】本発明の第一の実施形態に係る、制御部が出力階層の切替制御を行うタイミングを示す図。
【図４】本発明の第二の実施形態に係る、制御部が出力階層の切替制御を行うタイミングを示す図。
【図５】本発明の第二の実施形態の変形例であって、制御部が出力階層の切替制御を行うタイミングを示す図。
【符号の説明】
【００７０】
１…アンテナ部、２…選局部、３…伝送路復調部、４…多重分離部、５…弱階層デコード部、６…強階層デコード部、７…映像切替部、８…音声切替部、９…信号品質値、１０…制御部、１１…映像表示部、１２…音声出力部、１３…弱階層映像信号、１４…強階層映像信号、１５…弱階層音声信号、１６…強階層音声信号、１７…映像切替信号、１８…音声切替信号、１０１…比較部、１０２…閾値設定部、１０３…映像切替判定部、１０４…音声切替判定部、１０５…映像用閾値、１０６…音声用閾値、１０７…映像比較信号、１０８…音声比較信号、１０９…第一の映像用閾値、１１０…第二の映像用閾値、１１１…第一の音声用閾値、１１２…第二の音声用閾値。
【図１】
2008042599.tif 000003
【図２】
2008042599.tif 000004
【図３】
2008042599.tif 000005
【図４】
2008042599.tif 000006
【図５】
2008042599.tif 000007